(57)【特許請求の範囲】
【請求項１】
少なくとも一方に開口端を有し、その内部に基板を収容する基板収容部を備えると共に、前記基板が前記基板収容部と前記開口端の間に突設されたガイドリブで案内されつつ挿入されて前記基板収容部上に固定される基板収容ケースにおいて、前記ガイドリブが、
ａ．前記開口端から前記基板収容部に向けて前記基板収容ケースの壁面からの厚みが拡径されるテーパ部と、
ｂ．断面視において所定の曲率で湾曲させられつつ前記テーパ部に連続する湾曲部と、
および、
ｃ．前記湾曲部と前記基板収容部の間に形成される垂直部と、
から構成され、前記基板の厚みがｔで、長さｌのネジでネジ留めされて前記基板収容部上に固定されると共に、前記テーパ部と垂直部を断面視において仮想的に延長したときに両者の交差によって形成される交点と、前記垂直部の間の距離をｘとし、さらに前記垂直部の長さをｃとするとき、
ｘ≧ｌ−ｃ−ｔ
となるように、前記テーパ部と湾曲部と垂直部の形状が決定されることを特徴とする基板収容ケース。
【発明の詳細な説明】
【０００１】
【発明の属する技術分野】
この発明は基板収容ケースに関し、より詳しくは基板をガイドリブで案内してケースに収容するための基板収容ケースに関する。
【０００２】
【従来の技術】
基板収容ケースとしては、例えば、実公平５−２５２７１号公報記載のものなどが知られている。
【０００３】
この種の基板収容ケースは、一般に、開口端付近にガイドリブを設け、そのガイドリブで基板を案内して収容部に固定している。そのような基板収容ケースにあっては、基板がガイドリブに引っ掛かった状態でネジ留めされてしまうと、基板が所定の位置にないまま固定される恐れがある。
【０００４】
【発明が解決しようとする課題】
従って、この発明は、基板をガイドリブで案内して基板収容ケースに収容するとき、ガイドリブにおける引っ掛かりを防止し、基板を基板収容部上に所期通りに位置させて固定することができるようにした基板収容ケースを提供することを目的とする。
【０００５】
さらに、この発明は、基板の引っ掛かりが生じた場合、それを容易に検知して対策することができるようにした基板収容ケースを提供することを第２の目的とする。
【０００６】
【課題を解決するための手段】
上記課題を解決するため、請求項１項においては、少なくとも一方に開口端を有し、その内部に基板を収容する基板収容部を備えると共に、前記基板が前記基板収容部と前記開口端の間に突設されたガイドリブで案内されつつ挿入されて前記基板収容部上に固定される基板収容ケースにおいて、前記ガイドリブが、前記開口端から前記基板収容部に向けて前記基板収容ケースの壁面からの厚みが拡径されるテーパ部と、断面視において所定の曲率で湾曲させられつつ前記テーパ部に連続する湾曲部と、および前記湾曲部と前記基板収容部の間に形成される垂直部とから構成され、前記基板の厚みがｔで、長さｌのネジでネジ留めされて前記基板収容部上に固定されると共に、前記テーパ部と垂直部を断面視において仮想的に延長したときに両者の交差によって形成される交点と、前記垂直部の間の距離をｘとし、さらに前記垂直部の長さをｃとするとき、
ｘ≧ｌ−ｃ−ｔ
となるように、前記テーパ部と湾曲部と垂直部の形状が決定されるようにした。
【０００７】
テーパ部を、その厚みが開口端から基板収容部に向けて拡径されるように構成すると共に、断面視において所定の曲率で湾曲させられつつ前記テーパ部に連続する湾曲部を設けたので、基板をガイドリブで案内して基板収容ケースに収容するとき、ガイドリブにおける引っ掛かりを防止し、基板を基板収容部上に所期通りに位置させて固定することができる。また、上記条件式を満たすように、テーパ部と湾曲部と垂直部の形状が決定されるので、引っ掛かりが生じた場合はネジ留めが出来ないこととなり、基板の引っ掛かりを容易に検知することができ、挿入し直すなど必要な対策をとることができる。
【００１０】
【発明の実施の形態】
以下、添付図面を参照してこの発明の一つの実施の形態に係る基板収容ケースを説明する。
【００１１】
最初に、従来技術に係る基板収容ケースの構成について、図６および図７を参照して説明する。尚、以下の説明において、「上方」「下方」は鉛直軸（重力軸）に対する上下方向を表すものとする。
【００１２】
図６は、従来技術に係る基板収容ケース１００を横方向から見るように切断した断面図である。従来技術に係る基板収容ケース１００は、基板１０２が挿入可能なように一端（図では上端。以下「開口端」という）が開口される。また、挿入された基板１０２が収容されて固定される基板収容部１０４が設けられる。
【００１３】
基板収容部１０４と前記開口端の間には、基板１０２を挿入するとき、それを案内するために複数個のガイドリブ１０６が突設される。
【００１４】
図７は、図６に示す領域Ａの拡大断面図である。同図を参照して、従来技術に係る基板収容ケース１００に設けられたガイドリブ１０６の構成を説明する。
【００１５】
従来技術に係る基板収容ケース１００にあっては、図７に良く示すように、基板１０２がテーパ部１０６ａの開口端側の開始位置（図に基板１０２を実線で示す）、あるいはテーパ部１０６ａと垂直部１０６ｂとが連続する位置（図に基板１０２を破線で示す）などにおいて引っ掛かり、基板１０２の収容が不完全となることがある。
【００１６】
基板１０２が図７で実線で示すような引っ掛かりを生じたときは目視検査などにより比較的容易に発見できるものの、破線で示すような引っ掛かりを生じたときにネジ留めされてしまうと、収容が不完全のものが完全であると判断される恐れがある。
【００１７】
このような従来技術の不都合を解消するため、この実施の形態に係る基板収容ケースにあっては、基板をガイドリブで案内して基板収容ケースに収容するとき、ガイドリブにおける引っ掛かりを防止し、基板を基板収容部上に所期通りに位置させて固定することができるようにした。
【００１８】
図１は、この実施の形態に係る基板収容ケース１０を説明するための上面図、図２はそのII−II線断面図である。但し、図１は基板１２を収容して後述するようにネジ留めを完了したものを示し、図２は基板１２を収容する前の状態を示す。
【００１９】
この実施の形態に係る基板収容ケース１０は、図６および図７を参照して説明した従来技術に係る基板収容ケース１００と同様に、図２に示す如く、一端（図では上端。以下「開口端１４」という）で開口される。
【００２０】
また、開口端１４の下方位置には基板収容ケース１０の内周にわたり、挿入された基板１２が固定される、ステップ状の基板収容部１６が設けられる。
【００２１】
基板収容ケース１０は上面視略矩形状を呈すると共に、その開口端１４と基板収容部１６の間には、基板１２を案内するために、前記矩形の一辺当り２個ずつ、計８個のガイドリブ１８が、所定間隔をおいて基板収容ケース１０の内側に向けて突設される。
【００２２】
図３は、図２に示す領域Ｂの周辺を模式的に示す拡大断面図である。但し、図３は基板１２を収容した状態を示す。図３から明らかなように、ガイドリブ１８はそれぞれ、開口端１４から基板収容部１６に向けて、前記基板収容ケース１０の壁面２０（図１に図示）、より詳しくは内壁面からの厚みが拡径されるように形成されたテーパ部１８ａと、所定の曲率ｒで湾曲させられつつテーパ部１８ａに連続する湾曲部１８ｂと、湾曲部１８ｂと基板収容部１６の間に形成される長さｃの垂直部１８ｃとから構成される。尚、ガイドリブ１８の内壁面（壁面２０）からの高さはａ、開口端１４から基板収容部１６までの長さはｂである。
【００２３】
湾曲部１８ｂは角度θの範囲で設けられ、その基板接触面は、テーパ部１８ａおよび垂直部１８ｃと連続するように形成される。
【００２４】
このように、テーパ部１８ａを開口端１４から開始して基板収容部１６に向けて拡径されるようにしたので、基板１２がガイドリブ１８で案内されつつ基板収容ケース１０に収容されるとき、基板１２が開口端１４あるいはテーパ部１８ａに引っ掛かるのを防止することができる。
【００２５】
また、テーパ部１８ａに連続して湾曲部１８ｂを形成したので、基板１２がテーパ部１８ａから垂直部１８ｃに案内されるときも、湾曲部１８ｂを通過させることで、引っ掛かりを防止することができ、よって基板１２を基板収容部１６の上に所期通りに位置させて固定することができる。
【００２６】
次いで、テーパ部１８ａと湾曲部１８ｂと垂直部１８ｃの形状の決定について説明する。図４はガイドリブ１８の周辺を図３と同様に模式的に示す説明断面図である。図４にあっては、理解を容易にするため、各部の寸法を意図的に図３と相違させて図示した。
【００２７】
図３および図４を参照して説明すると、θと図４に示す各部の寸法ａ，ｂ，ｃ，ｒ，ｘの関係は次のように表される。
ｔａｎθ＝ａ／（ｂ−（ｃ＋ｘ））・・・（１）
また、ｘとθの関係は次のように表される。
ｘ＝ｒ・ｓｉｎ（θ／２）
これをｒについて整理すると次のように表される。
ｒ＝ｘ／ｓｉｎ（θ／２）・・・（２）
【００２８】
ここで、ｘはテーパ部１８ａと垂直部１８ｃを断面視において仮想的に延長したときに両者の交差によって形成される交点、即ち図４に示す点Ｄと垂直部１８ｃの距離である。上記の式（１）（２）において、ｘが決定されれば、湾曲部１８ｂの曲率ｒ、および湾曲部１８ｂが設けられる範囲（角度）θは一義的に決定されるので、式（１）（２）は、ｘについての従属関数である。
【００２９】
図５は、図１におけるＶ−Ｖ線断面を模式的に示す拡大断面図である。
【００３０】
図１に示すように、挿入された基板１２は基板収容部１６に収容された後、前記矩形の四隅付近においてネジ留めされて固定される。図５を参照してネジ留め部分付近の構成を説明する。
【００３１】
基板１２の適宜箇所にはネジ挿通孔２２が穿設される。また、基板収容部１６の対応位置にはネジ穴２４が形成される。基板１２は、ネジ２６がネジ挿通孔２２に挿通されると共に、ネジ穴２４に挿入されて締め込まれることにより固定される。
【００３２】
このとき、図５に示すように、ｘがネジの長さｌ、基板１２の厚みｔおよび垂直部１８ｃの長さｃの関係が以下の条件式（３）を満たすとき、基板１２が実線で示すような位置に引っ掛かった場合、ネジ２６がネジ穴２４に届かないので、ネジ留めすることができない。
ｘ≧ｌ−ｃ−ｔ・・・（３）
但し、ｌ−ｃ＞ｃ≧ｔである。
【００３３】
条件式（３）に基づき、式（１）および式（２）を用いてテーパ部１８ａと湾曲部１８ｂと垂直部１８ｃの形状が決定される。
【００３４】
従って、目視では基板１２が基板収容部１６に接触（収容）しているように判断されるときでも、ネジ留めができない場合、引っ掛かっていると判断することができ、基板１２を挿入し直すなど必要な対策をとることができる。
【００３５】
この実施の形態にあっては、上記のようにテーパ部１８ａを、その厚みが開口端１４から基板収容部１６に向けて拡径されるように構成すると共に、断面視において所定の曲率で湾曲させられつつ前記テーパ部に連続する湾曲部を設けたので、基板１２をガイドリブ１８で案内して基板収容ケース１０に収容するとき、ガイドリブにおける引っ掛かりを防止し、基板１２を基板収容部１６の上に所期通りに位置させて固定することができる。
【００３６】
また、テーパ部１８ａと湾曲部１８ｂと垂直部１８ｃの形状が、前記条件式（３）を満たすように決定されるので、引っ掛かりが生じた場合はネジ留めすることができないことから、それを容易に検知することができ、挿入し直すなど必要な対策をとることができる。
【００３７】
上記した如く、この実施の形態においては、少なくとも一方に開口端１４を有し、その内部に基板１２を収容する基板収容部１６を備えると共に、前記基板が前記基板収容部と前記開口端の間に突設されたガイドリブ１８で案内されつつ挿入されて前記基板収容部上に固定される基板収容ケース１０において、前記ガイドリブが、前記開口端から前記基板収容部に向けて前記基板収容ケースの壁面２０、より詳しくは内壁面からの厚みが拡径されるテーパ部１８ａと、断面視において所定の曲率ｒで湾曲させられつつ前記テーパ部に連続する湾曲部１８ｂと、および前記湾曲部と前記基板収容部の間に形成される垂直部１８ｃとから構成され、前記基板の厚みがｔで、長さｌのネジ２６でネジ留めされて前記基板収容部上に固定されると共に、前記テーパ部と垂直部を断面視において仮想的に延長したときに両者の交差によって形成される交点Ｄと、前記垂直部の間の距離をｘとし、さらに前記垂直部の長さをｃとするとき、
ｘ≧ｌ−ｃ−ｔ
となるように、前記テーパ部と湾曲部と垂直部の形状が決定される如くした。
【００３９】
尚、上記した実施の形態において、ガイドリブ１８の個数を８個としたが、その数に限られるものではなく、他の適宜な個数にしてもよい。
【００４０】
また、基板収容ケース１０の開口端１４の形状を略矩形としたが、それに限られるものではなく、多角形状などの様々な形状であってもよい。
【００４１】
【発明の効果】
請求項１項においては、テーパ部を前記開口端から前記基板収容部に向けてその厚みが拡径されるように構成すると共に、断面視において所定の曲率で湾曲させられつつ前記テーパ部に連続する湾曲部を設けたので、基板をガイドリブで案内して基板収容ケースに収容するとき、ガイドリブにおける引っ掛かりを防止し、基板を基板収容部上に所期通りに位置させて固定することができる。また、前記条件式（ｘ≧ｌ−ｃ−ｔ）を満たすように、前記テーパ部と湾曲部と前記垂直部の形状が決定されるので、引っ掛かりが生じた場合はネジ留めが出来ないため、基板の引っ掛かりを容易に検知することができ、挿入し直すなど必要な対策をとることができる。
【図面の簡単な説明】
【図１】この発明の一つの実施の形態に係る基板収容ケースの上面図である。
【図２】図１のII−II線断面図である。
【図３】図２のガイドリブを含む領域Ｂの周辺を模式的に示す拡大断面図である。
【図４】図３と同様に、図２のガイドリブの周辺を模式的に示す説明断面図である。
【図５】図１のＶ−Ｖ線に沿った構造を模式的に示す拡大断面図である。
【図６】従来技術に係る基板収容ケースを適宜な位置で切断した断面図である。
【図７】図６の領域Ａの拡大断面図である。
【符号の説明】
１０  基板収容ケース
１２  基板
１４  開口端
１６  基板収容部
１８  ガイドリブ
１８ａ  テーパ部
１８ｂ  湾曲部
１８ｃ  垂直部
２０  （基板収容ケースの）壁面
２６  ネジ
【図１】
0003939910.tif 000002
【図２】
0003939910.tif 000003
【図３】
0003939910.tif 000004
【図４】
0003939910.tif 000005
【図５】
0003939910.tif 000006
【図６】
0003939910.tif 000007
【図７】
0003939910.tif 000008